(57)【要約】【課題】計測時間を分かりやすく表示でき、かつ計測時間の最大値を設計段階で任意に設定できる計時機能付きアナログ時計を提供すること。【解決手段】計時機能付きアナログ時計１は、外部操作部材であるリューズ５およびボタン６，７と、外部操作部材によって時間計測の開始および停止を指示されて時間計測を行う計時手段と、計測時間を表示する第１表示手段および第２表示手段とを備える。第１表示手段は、第１モータで駆動される第１副針１５および第２副針１６を備え、第２表示手段は、第２モータで駆動される第３副針１７を備える。第１副針１５および第３副針１７は計測時間の「分」を表示可能に構成され、第２副針１６は計測時間の「秒」を表示可能に構成される。第３副針１７は、第１副針１５が１周回転した際に計測される計測時間Ｔ１よりも長い計測時間Ｔ２を表示可能に構成されている。【選択図】図１
2008261683.tif 000002
【特許請求の範囲】
【請求項１】
外部操作部材と、
前記外部操作部材によって時間計測の開始および停止を指示されるとともに、その指示に伴い時間計測を行う計時手段と、
前記計時手段で計測された計測時間を表示する第１表示手段および第２表示手段とを備えた計時機能付きアナログ時計であって、
前記計時手段で計測された計測時間は、少なくとも第１時間単位と、第１時間単位よりも短い時間単位である第２時間単位とで表され、
前記第１表示手段は、第１モータと、第１モータで駆動される第１副針および第２副針とを備え、
前記第２表示手段は、第２モータと、第２モータで駆動される第３副針とを備え、
前記第１副針および第３副針は前記計測時間の第１時間単位を表示可能に構成され、かつ、第２副針は前記計測時間の第２時間単位を表示可能に構成され、
前記第３副針は、前記第１副針が１周回転した際に計測される計測時間Ｔ１よりも長い計測時間Ｔ２を表示可能に構成されていることを特徴とする計時機能付きアナログ時計。
【請求項２】
請求項１に記載の計時機能付きアナログ時計において、
前記第１時間単位は分であり、前記第２時間単位は秒であり、
前記第１副針は前記計測時間の分を表示し、前記第２副針は前記計測時間の秒を表示し、前記第３副針は前記計測時間の分を表示することを特徴とする計時機能付きアナログ時計。
【請求項３】
請求項１に記載の計時機能付きアナログ時計において、
前記計測時間が１時間未満の場合には、前記第１時間単位は分であり、前記第２時間単位は秒であり、前記第１副針は前記計測時間の分を表示し、前記第２副針は前記計測時間の秒を表示し、前記第３副針は前記計測時間の分を表示し、
前記計測時間が１時間以上の場合には、前記第１時間単位は時であり、前記第２時間単位は分であり、前記第１副針は前記計測時間の時を表示し、前記第２副針は前記計測時間の分を表示し、前記第３副針は前記計測時間の時を表示することを特徴とする計時機能付きアナログ時計。
【請求項４】
請求項２または請求項３に記載の計時機能付きアナログ時計において、
前記計測時間が１分以下の場合には、前記第３副針は計測時間の秒を表示することを特徴とする計時機能付きアナログ時計。
【請求項５】
請求項１から請求項４のいずれかに記載の計時機能付きアナログ時計において、
前記第１副針および第２副針は、前記第１モータにより、前記計測時間の経過に伴って運針され、
前記第３副針は、前記第２モータにより、前記計測時間が前記第１時間単位の最小時間間隔毎に運針されることを特徴とする計時機能付きアナログ時計。
【請求項６】
請求項１から請求項４のいずれかに記載の計時機能付きアナログ時計において、
前記第１副針は、前記計測時間がＴ１未満では、前記第１モータにより、前記計測時間の経過に伴って運針され、かつ、前記計測時間がＴ１以上になると運針を停止し、
前記第３副針は、前記第２モータにより、前記計測時間が前記第１時間単位の最小時間間隔毎に運針されることを特徴とする計時機能付きアナログ時計。
【請求項７】
請求項１から請求項４のいずれかに記載の計時機能付きアナログ時計において、
前記第１副針および第２副針は、前記第１モータにより、前記計測時間の経過に伴って運針され、
前記第３副針は、前記計測時間がＴ１未満では運針を停止し、前記計測時間がＴ１以上では、前記第２モータにより、前記計測時間が前記第１時間単位の最小時間間隔毎に運針されることを特徴とする計時機能付きアナログ時計。
【請求項８】
請求項１から請求項７のいずれかに記載の計時機能付きアナログ時計において、
前記計時手段は、前記外部操作部材で時間計測を開始すると、その経過時間をカウントアップにより表示し、時間計測を停止するまでの経過時間を測定するストップウォッチ機能を備えることを特徴とする計時機能付きアナログ時計。
【請求項９】
請求項１から請求項８のいずれかに記載の計時機能付きアナログ時計において、
前記計時手段は、前記外部操作部材でタイマー計測時間を設定し、かつ、時間計測を開始すると、前記タイマー計測時間からカウントダウンしてタイマー残時間を表示し、タイマー残時間が０になったら時間計測を停止するタイマー機能を備えることを特徴とする計時機能付きアナログ時計。
【発明の詳細な説明】
【技術分野】
【０００１】
本発明は、計時機能付きアナログ時計に関する。
【背景技術】
【０００２】
近年においては、デジタル式電子時計だけでなく、アナログ電子時計（指針式電子時計）に対しても、クロノグラフ、アラーム、タイマー等の多機能付加の要求が強く、特にクロノグラフ（ストップウォッチ）やタイマー等の計時機能を有するアナログ時計が商品化されている。
このような計時機能付きアナログ時計では、各時針、分針、秒針等の時刻表示用の指針（基本時計用指針）の他に、計測時間表示用の副針を、文字板の任意の位置、例えば３時、６時、９時の各位置などに専用の小窓を設けて設定している（例えば特許文献１参照）。
そして、各小窓の副針を駆動するモータをそれぞれ設け、各副針を独立して駆動していた。すなわち、３時、６時、９時の各位置にそれぞれ副針を１本ずつ設け、タイマー機能などにおける経過時間を測定するために、各副針を、経過時間の時、分、秒の表示用に割り当てて表示していた。
【０００３】
【特許文献１】特許第２６００１３２号公報
【発明の開示】
【発明が解決しようとする課題】
【０００４】
しかしながら、前記計時機能付きアナログ時計では、経過時間の時、分、秒を表示する各表示針が離れた位置にあって同軸上にないため、利用者にとっては感覚的に経過時間を認識しにくいという問題があった。
【０００５】
一方で、前記副針として、複数、例えば２針を同軸上に配置し、１つのモータでこれらの２つの副針を駆動して、経過時間の時・分を表示したり、分・秒を表示するものも商品化されている。
このような表示針（副針）が同軸上にあるものは、使用者にとっては感覚的に経過時間を認識しやすい利点がある。
【０００６】
しかしながら、同軸に設けられた複数の表示針は、歯車で連動しているために時間表示の制約があり、計測時間の最大値を任意に設定することができないという問題があった。例えば、時・分の表示を行う２つの表示針を同軸上に設けた場合、通常、長針は１周で６０分を表示し、短針は１周で１２時間を表示する。
すなわち、同軸上に２つの表示針を設けた場合、長針１周で６０分割、短針１周で７２０分割（６０×１２）に設定される。これは、時計の時刻表示の基本となる設定であり、例えば、多機能時計において、同軸上に設けられた２針でアラーム設定時間の表示なども兼用する場合には、前記２つの針の関係を任意に変更することはできない。
このため、例えば、分・秒の表示を同軸上の２つの表示針で行う場合、長針は１周で６０秒を表示し、短針は１周で１２分を表示することになり、分表示は最大１２分までに制限される。このため、経過時間が１２分以上になると、表示針が１周以上となってしまい、例えば経過時間が１３分なのか１分なのか表示針を見ただけでは判断できないという問題があった。
【０００７】
本発明は、計測時間を分かりやすく表示でき、かつ計測時間の最大値を設計段階で任意に設定できる計時機能付きアナログ時計を提供することを目的とする。
【課題を解決するための手段】
【０００８】
（クレーム１）
本発明は、外部操作部材と、前記外部操作部材によって時間計測の開始および停止を指示されるとともに、その指示に伴い時間計測を行う計時手段と、前記計時手段で計測された計測時間を表示する第１表示手段および第２表示手段とを備えた計時機能付きアナログ時計であって、前記計時手段で計測された計測時間は、少なくとも第１時間単位と、第１時間単位よりも短い時間単位である第２時間単位とで表され、前記第１表示手段は、第１モータと、第１モータで駆動される第１副針および第２副針とを備え、前記第２表示手段は、第２モータと、第２モータで駆動される第３副針とを備え、前記第１副針および第３副針は前記計測時間の第１時間単位を表示可能に構成され、かつ、第２副針は前記計測時間の第２時間単位を表示可能に構成され、前記第３副針は、前記第１副針が１周回転した際に計測される計測時間Ｔ１よりも長い計測時間Ｔ２を表示可能に構成されていることを特徴とする。
【０００９】
本発明では、計時手段で時間を計測し、その計測時間を第１表示手段および第２表示手段で表示する。この際、第１表示手段は、第１モータで駆動される第１副針および第２副針を備えており、各副針で計測時間の第１時間単位（例えば分）と第２時間単位（例えば秒）を表示しているため、通常の時計と同様の表示にでき、計測時間を分かりやすく表示でき、利用者も計測時間を直感的にかつ容易に把握できる。
また、第１表示手段は、１つのモータで２つの針を連動して運針するために、前述のとおり、時間表示に制約がある。すなわち、第１表示手段でアラーム時間も表示する場合のように、第１副針で時、第２副針で分を表示することを考慮すると、計時機能で経過時間を計測する際に、第１副針で分、第２副針で秒を表示する場合、第１副針が１周した場合には１２分の計測時間を表示することになる。このため、１２分以上になると、第１副針が１周以上回転するため、利用者は計測時間が１２分未満であるか、１２分以上であるかを判断できず、計測時間の最大値が１２分に制限されてしまう。
これに対し、本発明では、第３副針によって、第１副針と同じ時間単位を表示し、かつ、第３副針は、第１副針が１周回転した際の計測時間Ｔ１よりも長い計測時間Ｔ２を表示可能に構成されているため、第１副針が１周以上移動した場合でも第３副針を参照することで正しい計測時間を把握できる。そして、この第３副針は独立して設けられているので、第３副針が１周した際の計測時間も自由に設定でき、計測時間の最大値を設計段階で任意に設定できる。
【００１０】
（クレーム２）
本発明において、前記第１時間単位は分であり、前記第２時間単位は秒であり、前記第１副針は前記計測時間の分を表示し、前記第２副針は前記計測時間の秒を表示し、前記第３副針は前記計測時間の分を表示することが好ましい。
【００１１】
本発明によれば、第１時間単位を分、第２時間単位を秒としているので、第１表示手段の第１副針および第２副針で計測時間の分および秒を表示でき、利用者は秒単位までの計測時間を容易に把握できる。
なお、本発明においては、前記第１時間単位を「時」、前記第２時間単位を「分」としてもよい。
【００１２】
（クレーム３）
本発明において、前記計測時間が１時間未満の場合には、前記第１時間単位は分であり、前記第２時間単位は秒であり、前記第１副針は前記計測時間の分を表示し、前記第２副針は前記計測時間の秒を表示し、前記第３副針は前記計測時間の分を表示し、前記計測時間が１時間以上の場合には、前記第１時間単位は時であり、前記第２時間単位は分であり、前記第１副針は前記計測時間の時を表示し、前記第２副針は前記計測時間の分を表示し、前記第３副針は前記計測時間の時を表示することが好ましい。
【００１３】
本発明によれば、経過時間が１時間未満であり、時間単位として「時」のデータを表示する必要がない場合には、分・秒を表示し、経過時間が１時間以上の場合には、時・分を表示しているので、経過時間に応じて各副針で適切な表示単位を表示できる。そのため、経過時間を適切に表示でき、利用者は経過時間を正確に把握できて利便性を向上することができる。
【００１４】
（クレーム４）
本発明において、前記計測時間が１分以下の場合には、前記第３副針は計測時間の秒を表示することが好ましい。
計測時間が１分以下になった際に、第３副針が計測時間の「分」の表示から「秒」の表示に切り替われば、利用者が秒表示を容易に把握できる。このため、特に、計測時間をカウントダウンで表示するタイマー表示機能の場合、「５９秒、５８秒、…１秒、０秒」と表示されるため、利用者は設定したタイマー計測時間の計測が完了する時点を容易に把握することができる。
【００１５】
（クレーム５）
本発明において、前記第１副針および第２副針は、前記第１モータにより、前記計測時間の経過に伴って運針され、前記第３副針は、前記第２モータにより、前記計測時間が前記第１時間単位の最小時間間隔毎に運針されることが好ましい。
【００１６】
例えば、第１時間単位が「分」、第２時間単位が「秒」の場合、例えば、第１副針および第２副針は、第１モータにより１秒単位でステップ運針され、第３副針は第２モータにより１分単位でステップ運針される。
このため、第２モータは最小限の動作を行えばよく、省エネルギ化を実現できる。また、第１副針および第３副針は同期して運針されるため、利用者は第１副針および第３副針が同じ第１時間単位を表示していることを容易に把握できる。
【００１７】
（クレーム６）
本発明において、前記第１副針は、前記計測時間がＴ１未満では、前記第１モータにより、前記計測時間の経過に伴って運針され、かつ、前記計測時間がＴ１以上になると運針を停止し、前記第３副針は、前記第２モータにより、前記計測時間が前記第１時間単位の最小時間間隔毎に運針されることが好ましい。
【００１８】
このような構成によれば、第１副針は、計測時間がＴ１未満つまり、第１副針が１周回転するまでは運針されるが、計測時間がＴ１以上になると運針が停止するため、利用者は第１副針が１周して停止していれば、計測時間がＴ１以上になっていることを容易に把握でき、その際には第３副針を確認して計測時間を容易に把握できる。
【００１９】
（クレーム７）
本発明において、前記第１副針および第２副針は、前記第１モータにより、前記計測時間の経過に伴って運針され、前記第３副針は、前記計測時間がＴ１未満では運針を停止し、前記計測時間がＴ１以上では、前記第２モータにより、前記計測時間が前記第１時間単位の最小時間間隔毎に運針されることが好ましい。
【００２０】
このような構成によれば、第３副針は、計測時間がＴ１未満では運針を停止し、Ｔ１以上になると運針を開始するため、第３副針が停止していれば、利用者は計測時間がＴ１未満であることを把握でき、第１副針および第２副針で計測時間を容易に把握できる。一方、第３副針が運針していれば、利用者は計測時間がＴ１以上であることを把握でき、第３副針で計測時間を容易に把握できる。
【００２１】
（クレーム８）
本発明において、前記計時手段は、前記外部操作部材で時間計測を開始すると、その経過時間をカウントアップにより表示し、時間計測を停止するまでの経過時間を測定するストップウォッチ機能を備えることが好ましい。
このような構成によれば、経過時間を測定する通常のストップウォッチ機能を実現できる。
【００２２】
（クレーム９）
本発明において、前記計時手段は、前記外部操作部材でタイマー計測時間を設定し、かつ、時間計測を開始すると、前記タイマー計測時間からカウントダウンしてタイマー残時間を表示し、タイマー残時間が０になったら時間計測を停止するタイマー機能を備えることが好ましい。
このような構成によれば、タイマー計測時間を設定し、カウントダウンでタイマー残時間を表示するタイマー機能を実現できる。
【発明の効果】
【００２３】
本発明の計時機能付きアナログ時計によれば、計測時間を分かりやすく表示でき、かつ計測時間の最大値を設計段階で任意に設定できる。
【発明を実施するための最良の形態】
【００２４】
以下に、本発明の実施形態を図面に基づいて説明する。
図１に示すように、計時機能付きアナログ時計１は、通常の時刻表示を行う基本時計用指針としての時針１１、分針１２、小秒針１３を備えている。時針１１および分針１２は、時計１の文字板２の中心を回転軸としているが、小秒針１３は、文字板２の中心から９時方向にずれた位置に配置されている。
【００２５】
また、計時機能付きアナログ時計１には、文字板２の中心から１２時方向にずれた位置に配置されたモード表示針１４と、文字板２の中心から６時方向にずれた位置に配置された第１表示手段と、文字板２の中心位置に配置された第２表示手段とを備えている。
第１表示手段は、第１副針１５および第２副針１６を備えて構成され、第２表示手段は、前記時針１１、分針１２と同軸上に配置された第３副針１７を備えて構成されている。
また、計時機能付きアナログ時計１には、外部操作部材であるリューズ５と、同じく外部操作部材である第１ボタン６および第２ボタン７とが設けられている。
【００２６】
図２に示すように、各指針１１〜１７は、４つのステップモータでそれぞれ駆動される。すなわち、前記時針１１、分針１２、小秒針１３は基本時計用ステップモータ２１で駆動され、モード表示針１４はモード表示用ステップモータ２２で駆動される。
また、第１副針１５および第２副針１６は第１モータである第１ステップモータ２３で駆動され、第３副針１７は第２モータである第２ステップモータ２４で駆動される。
【００２７】
これらの各ステップモータ２１〜２４の駆動制御を行うために、計時機能付きアナログ時計１には駆動制御回路３０が内蔵されている。
駆動制御回路３０は、リューズ位置検出部３１、第１スイッチ検出部３２、第２スイッチ検出部３３、機能処理部３４、基本時計駆動制御部３５、モード表示駆動制御部３６、第１モータ駆動制御部３７、第２モータ駆動制御部３８を備えている。
【００２８】
リューズ位置検出部３１は、リューズ５の引き出し位置（０段目、１段目、２段目）を識別し、その位置信号を機能処理部３４に出力する。
第１スイッチ検出部３２は、第１ボタン６の押込み操作を検出し、押し込み操作があった場合にその検出信号を機能処理部３４に出力する。
第２スイッチ検出部３３は、第２ボタン７の押込み操作を検出し、押し込み操作があった場合にその検出信号を機能処理部３４に出力する。
【００２９】
基本時計駆動制御部３５は、水晶振動子等の基準信号発生回路から出力される基準信号（例えば１Ｈｚの信号）を利用してモータ駆動パルスを出力し、基本時計用ステップモータ２１を介して時針１１、分針１２、小秒針１３の駆動を制御する。
モード表示駆動制御部３６は、モード表示用ステップモータ２２を介してモード表示針１４の駆動を制御する。
【００３０】
第１モータ駆動制御部３７は、第１ステップモータ２３を介して第１副針１５および第２副針１６の駆動を制御する。なお、本実施形態では、各副針１５，１６のうち、長針である第２副針１６は１周６０分割に設定され、短針である第１副針１５は１周７２０分割に設定され、互いに連動して駆動される。
第２モータ駆動制御部３８は、第２ステップモータ２４を介して第３副針１７の駆動を制御する。なお、本実施形態では、第３副針１７は、１周３００分割に設定されている。
【００３１】
機能処理部３４は、計時機能付きアナログ時計１における各種機能を処理するものである。本実施形態では、タイム表示処理部３４１、タイマー処理部３４２、クロノグラフ処理部３４３、アラーム処理部３４４、ローカルタイム表示処理部３４５を備えている。
そして、機能処理部３４は、リューズ５および第１ボタン６によるモード切替操作が行われると、処理モードを順次切り替え、選択されたモードに伴って各処理部３４１〜３４５を実行する。
【００３２】
タイム表示処理部３４１は、タイムモード（TIME)が選択された際に動作され、第１モータ駆動制御部３７を利用し、第１副針１５および第２副針１６で、時針１１、分針１２で指示される現時刻と同じ時刻を表示するものである。
タイマー処理部３４２は、タイマーモード（TMR)が選択された際に動作され、第１モータ駆動制御部３７、第２モータ駆動制御部３８を利用し、第１副針１５、第２副針１６、第３副針１７によってタイマー処理を行うものである。なお、タイマー処理とは、最初にタイマー計測時間（例えば、１０分）を設定し、タイマースタート操作を行うと、経過時間に伴い各副針１５〜１７を反時計回りに回転して、残り時間（タイマー残時間）をリアルタイムに表示するものである。このため、タイマー処理部３４２は、前記基準信号をカウントすることでタイマー時間を計測する内部計測カウンタを備えている。
【００３３】
クロノグラフ処理部３４３は、クロノグラフモード（CHR)が選択された際に動作され、第１モータ駆動制御部３７、第２モータ駆動制御部３８を利用し、第１副針１５、第２副針１６、第３副針１７によってクロノグラフ処理を行うものである。なお、クロノグラフ処理とは、いわゆるストップウォッチ機能であり、クロノグラフのスタート操作を行うと、経過時間に伴い各副針１５〜１７を時計回りに回転して、経過時間をリアルタイムに表示するものである。このため、クロノグラフ処理部３４３も、前記基準信号をカウントすることで経過時間を計測する内部計測カウンタを備えている。
従って、本発明の計時手段は、前記タイマー処理部３４２やクロノグラフ処理部３４３に設けられた内部計測カウンタを備えて構成されている。
【００３４】
アラーム処理部３４４は、アラームモード（ALM)が選択された際に動作され、第１モータ駆動制御部３７を利用し、第１副針１５、第２副針１６を移動してアラーム時刻を設定し、時針１１、分針１２、小秒針１３による現時刻が設定したアラーム時刻になると、アラーム音を発生させるものである。
【００３５】
ローカルタイム表示処理部３４５は、ローカルタイムモード（LOC)が選択された際に動作され、第１モータ駆動制御部３７を利用し、第１副針１５、第２副針１６によって、時針１１、分針１２で表示される現時刻に対し、予め設定された時差分だけ異なる時間を表示するものである。例えば、日本から外国に旅行などで移動している際に、時針１１および分針１２で、現地あるいは日本の現時刻を表示し、第１副針１５および第２副針１６で日本あるいは現地の時刻を表示するものである。
【００３６】
なお、リューズ５および第１ボタン６によるモード切替操作は、具体的には、リューズ５を１段目に引き出した状態で第１ボタン６を押すと実行される。すなわち、リューズ５を１段目に引き出した状態で第１ボタン６が押される毎に、機能処理部３４は、処理モードを順次切り替える。そして、このモード切替操作に伴い、機能処理部３４は、モード表示駆動制御部３６を動作させてモード表示用ステップモータ２２を介してモード表示針１４を移動し、選択されたモードに応じて、文字板２に表示されたタイムモード（TIME)、タイマーモード（TMR)、クロノグラフモード（CHR)、アラームモード（ALM)、ローカルタイムモード（LOC)のいずれかをモード表示針１４で指示する。
【００３７】
ここで、リューズ５および各ボタン６，７を操作した際の動作は、次の通りである。
（リューズ回転機能）
リューズ５の回転機能は、一般的なアナログ時計と同様であり、０段目では回転させてもフリーであり、１段目では回転操作で日修正（カレンダ修正）が行われ、２段目では時針１１、分針１２、小秒針１３の基本時計の針合わせが行われる。
【００３８】
（ボタン操作機能）
タイマーモード、クロノグラフモードでは、リューズ５を０段目のままで第１ボタン６を押すと、時間計測のスタートおよびストップが交互に行われる。さらに、リューズ５を０段目のままで第２ボタン７を押すと、時間計測のリセットが行われる。この際、クロノグラフモードでは時間計測のリセットが行われると、各副針１５〜１７はそれぞれ０位置に戻る。一方、タイマーモードでは、リセット操作時に０位置に戻してもよいが、通常は、前回設定したタイマー計測時間に戻る。
【００３９】
さらに、リューズ５を１段目に引き出して第１ボタン６を押すと、前述のとおり、モード切替処理が行われる。一方、タイマーモード、アラームモードおよびローカルタイムモードにおいて、リューズ５を１段目に引き出して第２ボタン７を押すと、各副針１５，１６が連動して移動し、タイマー時間、アラーム時間およびローカルタイムの時間が設定される。
【００４０】
［タイマー処理］
次に、本実施形態においてタイマーモードが選択された際の動作について図３〜５のフローチャートも参照して説明する。
本実施形態では、タイマー処理部３４２の内部計測カウンタは、最大計測時間として、１５分まで計測できる構成としている。
第１表示手段では、第２副針１６で経過時間の秒を表示し、第１副針１５で経過時間の分を表示する。そして、第２副針１６が１周して１分を計測し、連動する第１副針１５が１周して１２分を計測する構成となっている。このため、第１表示手段に設けられた目盛１８は１周を１２等分されている。
【００４１】
第２表示手段では、第３副針１７で前記第１副針１５と同じ経過時間の分を表示する。但し、第３副針１７は、最大で１５分まで計測可能な構成とされている。このため、第２表示手段に設けられた目盛１９は１周を１６分割され、０から１５分までの目盛を表示している。
【００４２】
（タイマー計測時間設定）
モード切替操作において、タイマーモードが選択されると、利用者の操作によってタイマー計測時間の設定処理が行われる。
具体的には、タイマー処理部３４２は、リューズ５が１段目にあるかを確認し（ステップＳ１）、１段目にある場合には、タイマー計測時間設定処理を実行する（ステップＳ２）。
【００４３】
タイマー計測時間設定処理Ｓ２では、タイマー処理部３４２は、図４に示すように、第２スイッチ検出部３３からの信号を判定し、第２ボタン７が押されたか否かを判断する（ステップＳ２１）。
そして、第２ボタン７が押された場合には、タイマー計測の設定時間を１分加算する（ステップＳ２２）。
【００４４】
この第２ボタン７の操作に伴い、タイマー処理部３４２は、第１モータ駆動制御部３７および第２モータ駆動制御部３８を介して各モータ２３，２４を駆動し、「分」の時間単位を指示する第１副針１５および第３副針１７を１分進める（ステップＳ２３）。
具体的には、第２ボタン７を１回押すと、第１ステップモータ２３によって第２副針１６が６０ステップ（１周）を正転（時計回り）で運針し、第２副針１６に連動する第１副針１５が６０／７２０ステップ（１／１２周＝３０度）を正転で運針して、タイマー計測時間として「１分００秒」が設定されて表示される。
同時に、第２ステップモータ２４によって第３副針１７が１／１６周＝２２．５度を正転で運針して、第３副針１７においてもタイマー計測時間「１分」が表示される。
【００４５】
そして、リューズ５が１段目に引き出されたままであるかを判定し（ステップＳ２４）、１段目に引き出されている場合には、前記ステップＳ２１〜Ｓ２３を繰り返す。すなわち、リューズ５を１段目に引き出した状態で、利用者がタイマー計測時間として設定したい時間だけ第２ボタン７を押すと、タイマー処理部３４２は前記ステップＳ２１〜Ｓ２４を繰り返し、第１副針１５および第３副針１７で設定したタイマー計測時間を表示する。
図１では、タイマー計測時間を５分に設定した状態が示されている。
【００４６】
なお、本実施形態では、タイマー処理部３４２の内部計測カウンタは最大１５分まで計測できるように設定されている。このため、例えば、前記第２ボタン７を１３回押してタイマー計測時間を「１３分」に設定すると、第１副針１５は１周で１２分を表示するように設定されているので、第１副針１５は１周し、さらに１分ぶんだけ正転し、図６に示すように、１分００秒にセットした場合と同じ状態になる。
一方、第２表示手段の第３副針１７は、最大１５分まで表示可能に設定されているので、タイマー計測時間が「１３分」に設定されると、１３／１６周＝２９２．５度を正転で運針して、図６に示すように１３分を指示する位置に移動する。
このため、第１表示手段の第１副針１５および第２副針１６で１分００秒を指示していても、第２表示手段の第３副針１７で１３分を指示しているので、利用者はタイマー計測時間が１３分００秒に設定されていることを認識できる。
【００４７】
従って、前記第２ボタン７を押してタイマー計測時間が「１５分」になった場合には、第１副針１５および第２副針１６は３分００秒の場合と同じ指示になるが、第３副針１７は１５分の位置を指示することになる。
このタイマー計測時間が「１５分」になった後、更に前記第２ボタン７を押すと、タイマー計測時間は「０分」に戻る。このため、タイマー計測時間が１５分になった際に、３分００秒を指示していた第１副針１５および第２副針１６は０分００秒の表示に戻り、第３副針１７も０分の表示に戻る。さらに、前記第２ボタン７を押すと、１分００秒の設定から１分ごと再度設定できるようにされている。
【００４８】
以上のタイマー計測時間の設定は、図４に示すように、リューズ５を１段目以外、通常は０段目に移動するまで継続し、リューズ５を１段目以外に移動してステップＳ２４で「Ｎｏ」と判定されると、タイマー計測時間設定処理Ｓ２も終了する。
【００４９】
（タイマー計測動作）
タイマー計測時間の設定が終了すると、図３に示すように、タイマー処理部３４２は、リューズ５が０段目に戻されたかを判定する（ステップＳ３）。
ステップＳ３でリューズ５が０段目に戻されていた場合、タイマー処理部３４２はタイマー計測処理を実行できる状態となる（ステップＳ４）。
【００５０】
タイマー計測処理Ｓ４では、タイマー処理部３４２は、図５に示すように、最初に第１ボタン６が押されたかを判定する（ステップＳ４１）。
【００５１】
そして、ステップＳ４１で第１ボタン６が押されると、タイマー処理部３４２はタイマー計測を開始する（ステップＳ４２）。タイマー計測が開始されると、タイマー処理部３４２は、計測時間のダウンカウントを開始し、第１モータ駆動制御部３７を介して第１ステップモータ２３を逆転させ、第１副針１５および第２副針１６を反時計回り方向（逆転方向）に移動してタイマーの残時間を表示する。例えば、タイマー計測時間を１３分に設定した状態で計測を開始すると、第１副針１５および第２副針１６は、「１３分００秒（表示は１分００秒）」から１秒ごとに「１２分５９秒、５８秒、５７秒…」とタイマー残時間（計測時間）をダウンカウントして表示する。
【００５２】
同時に、タイマー処理部３４２は、第３副針１７でタイマー残時間の分の桁を表示するため、第２モータ駆動制御部３８を介して第２ステップモータ２４を１分毎に逆転する。例えば、タイマー計測時間が「１３分００秒」から「１２分５９秒」に変化すると、第２ステップモータ２４で第３副針１７を逆転運針し、図７に示すように、「１３分」を指示する位置から「１２分」を指示する位置まで移動する。
【００５３】
タイマー処理部３４２は、タイマー計測が開始された後は、タイマー残時間が０になったか否かを判定する（ステップＳ４３）。また、タイマー残時間が０でない場合には、再度、第１ボタン６が押されたかを判定する（ステップＳ４４）。
そして、タイマー処理部３４２は、ステップＳ４３，Ｓ４４のいずれかで「Ｙｅｓ」と判定されるまで、計測時間のダウンカウントを継続し、第１副針１５および第２副針１６はタイマー残時間の表示を継続する。一方、第３副針１７はタイマー残時間の分の桁を指示するため、タイマー残時間の分が変化する度つまり１分間隔で逆転運針する。
【００５４】
また、タイマー計測中にタイマー残時間が０分００秒になった場合（ステップＳ４３で「Ｙｅｓ」）には、タイマー処理部３４２はタイマー計測を停止し、かつタイマー計測が終了したことを、アラームを鳴らすことなどで通知する（ステップＳ４５）。
【００５５】
さらに、タイマー計測中でかつタイマー残時間が０分００秒になっていない状態、つまりステップＳ４３で「Ｎｏ」と判定された状態で、第１ボタン６が押されると（ステップＳ４４で「Ｙｅｓ」）、タイマー処理部３４２はタイマー計測を停止する（ステップＳ４６）。
【００５６】
次に、タイマー計測が停止している状態では、タイマー処理部３４２は、前記第２ボタン７が押されたか否かを判定する（ステップＳ４７）。ここで、第２ボタン７が押されなかった場合には、タイマー処理部３４２はリューズ５が１段目に引き出されたか否かを判定する（ステップＳ４８）。
そして、ステップＳ４８で「Ｎｏ」と判定された場合には、ステップＳ４１に戻り、再度第１ボタン６が押されたかを判定する。ここで、第１ボタン６が再度押された場合には、停止していたタイマー計測が再開される。
従って、タイマー残時間が０分００秒になるまでは、第１ボタン６を押す度に、タイマー計測の開始および停止が繰り返されることになる。
【００５７】
また、ステップＳ４７で第２ボタン７が押された場合には、タイマー処理部３４２はタイマー計測をリセットする（ステップＳ４９）。具体的には、各副針１５，１６，１７をタイマー計測時間設定処理で設定された時間位置に戻し、再度タイマー計測が可能な状態にリセットする。例えば、タイマー計測の設定時間が５分００秒であれば、タイマー計測によって各副針１５，１６，１７でタイマー残時間を表示している状態、あるいはタイマー計測が終了して０分００秒を表示している状態のいずれにおいても、リセット操作が行われると、副針１５，１６，１７は５分００秒の表示位置に戻る。
従って、タイマーリセット（Ｓ４９）の処理後に、ステップＳ４１で第１ボタン６が押されると、再度、設定されたタイマー計測時間の計測を行うことができる。
【００５８】
一方、ステップＳ４１で第１ボタン６が押されなかった場合には、タイマー計測が停止しているため、ステップＳ４８の判定処理に移動し、リューズ５が１段目に引き出されたかの判定を行い、引き出されていなければ再度ステップＳ４１の判定に戻る。
【００５９】
また、ステップＳ４８でリューズ５が１段目に引き出された場合には、利用者がタイマー計測時間の再設定を行う場合か、モード切替処理を行う場合であるため、タイマー計測処理Ｓ４を終了する。
そして、タイマー処理部３４２は、図３に示すように、モード切替処理によってタイマーモードが終了したかを判定し（ステップＳ５）、モード切替でタイマーモードが終了した場合には、タイマー処理も終了する。一方、タイマーモードが終了していない場合には、タイマー処理部３４２は、ステップＳ１に戻り、処理を続行する。
【００６０】
なお、タイマー計測中は、前述したように、第３副針１７は、第１副針１５および第２副針１６で表示されるタイマー計測時間（タイマー残時間）の分の桁を表示しているが、タイマー残時間が１分以下になった場合には、第３副針１７は、第１副針１５および第２副針１６で表示されるタイマー計測時間（タイマー残時間）の秒の桁を表示するように構成されている。
例えば、図８に示すように、第１副針１５および第２副針１６で表示されるタイマー残時間が「０分５０秒」の場合、第３副針１７は文字板２の外周の６０等分された目盛２０における「５０秒」を指示する。これにより、タイマー残時間が１分未満になった場合には、文字板２のセンターに配置された第３副針１７で残りの秒数を表示できるため、利用者がタイマー計測完了（タイマー残時間が０）になるまでの残り時間を明確に判断することができる。
【００６１】
このような本実施形態によれば、次のような効果がある。
（１）第１副針１５で計測時間の「分（第１時間単位）」を表示し、第２副針１６で計測時間の「秒（第２時間単位）」を表示しているので、通常の時計と同様に、第１表示手段だけで「分」および「秒」を表示でき、計測時間を分かりやすく表示でき、利用者も計測時間を直感的にかつ容易に把握できる。
【００６２】
（２）また、第１表示手段は、第１副針１５が１２分の計測で１周し、１２分以上の計測時間では１周以上回ってしまうため、利用者は計測時間（タイマー残時間）の把握が困難であるが、１５分まで表示可能な第３副針１７を設けているので、第１副針１５が１周以上移動している場合でも第３副針１７を参照することで正しい計測時間を把握できる。従って、タイマー計測時間を１５分まで分かりやすく設定できるので、ヨット競技などで１５分のタイマー計測が必要となるような用途に対しても最適な製品仕様を提供することができる。
【００６３】
（３）さらに、第３副針１７は、第２ステップモータ２４で独立して運針されるため、第３副針１７が１周した際の計測時間も自由に設定でき、計測時間の最大値を設計段階で任意に設定できる。すなわち、前記実施形態では、１５分まで表示可能に構成したが、例えば、３０分まで表示可能にしたり、６０分まで表示可能にすることもでき、計時機能付きアナログ時計１を様々な用途に利用することができる。
【００６４】
（４）また、タイマー計測時間が１分以下になった際に、第３副針１７は秒表示に切り替わるため、副針１５，１６に比べて長さ寸法の大きな第３副針１７でタイマー残時間の秒数を表示でき、利用者はタイマー計測時間の計測が完了する時点を容易に把握することができる。
【００６５】
（５）第３副針１７は、第１時間単位である分の最小時間間隔つまり１分毎に運針されるため、現在の計測時間の分の数を明確に表示できるとともに、第２ステップモータ２４は１分間隔で駆動すればよく、省エネルギ化を実現できる。
【００６６】
（６）第１副針１５および第３副針１７は、同期して運針されるため、利用者は第１副針１５および第３副針１７が同じ第１時間単位を表示していることを容易に把握できる。
【００６７】
（７）第１副針１５のほかに第３副針１７でも同じ計測時間の「分」のデータを表示しているので、第１副針１５が時針１１や分針１２と重なってしまい、第１表示手段による計測時間表示が認識しにくい状態になった場合でも、第３副針１７で計測時間を表示できる。このため、現時刻の時針１１や分針１２の位置に関係なく、利用者は常に計測時間を認識することができる。
【００６８】
なお、本発明は前述の実施形態に限定されるものではなく、本発明の目的を達成できる範囲での変形、改良等は本発明に含まれるものである。
例えば、前記実施形態では、計時機能としてタイマー機能について説明したが、クロノグラフ機能（ストップウォッチ機能）に本発明を適用してもよい。
ストップウォッチ機能の場合は、例えば、第１時間単位として「時」、第２時間単位として「分」を設定する。この場合、第１副針１５は１周で１２時間の計測時間になるが、第３副針１７では１５時間まで計測可能となる。
【００６９】
そして、初期状態では図９に示すように、第１副針１５および第２副針１６を０時０分の位置に移動し、第３副針１７を０時の位置に移動して測定を開始する。測定開始後、第１副針１５および第２副針１６は正転で運指されて計測時間の時・分を表示し、第３副針１７も正転で運針されて時を表示する。例えば、図９の状態から３時間５分経過した場合には、図１０に示すように表示される。なお、時針１１、分針１２も、図９の状態つまり１０時９分から３時間５分経過した１３時１４分を表示している。また、第３副針１７は、第1時間単位である「時」の最小時間単位つまり１時間毎に運針される。
このようなストップウォッチ機能を実行する場合も前記実施形態と同じ作用効果を奏することができる。
【００７０】
また、前記実施形態では、第１副針１５は計測時間が１２分以上になって１周回転した後もそのまま運針を継続していたが、計測時間が１２分以上になると運針を停止するように設定してもよい。このような構成によれば、利用者は、第１副針１５が停止している場合には、第１副針１５が１周つまり１２分以上経過していることを把握できるため、第３副針１７で実際の経過時間を確認すればよい。
【００７１】
さらに、前記実施形態では、第３副針１７は計測時間が１２分未満の場合も運針していたが、計測時間が１２分未満では運針を停止しており、１２分以上になった場合に運針を開始するように設定してもよい。このような構成によれば、利用者は、第３副針１７が運針している場合には第１副針１５が１周つまり１２分以上経過していることを把握できるため、第３副針１７で実際の経過時間を確認すればよい。
【００７２】
また、前記実施形態では、第３副針１７は最大１５分まで計測可能に設定されていたが、第３副針１７は第２ステップモータ２４で独立して駆動されるため、最大計測時間は１５分に限らず、設計段階で自由に設定すればよい。
さらに、第３副針１７で計測される最大計測時間を利用者が設定可能に構成してもよい。この場合、目盛１８は、設定された最大計測時間に合わせて交換可能に設計したり、数字を表記せずに読み替えることができるように構成すればよい。
【００７３】
また、前記計測時間が１時間未満の場合には、第１副針１５および第３副針１７で計測時間の「分」を表示し、第２副針１６で「秒」を表示し、計測時間が１時間以上の場合には、第１副針１５および第３副針１７で計測時間の「時」を表示し、第２副針１６で「分」を表示するように設定してもよい。
すなわち、第３副針１７で「分」を表示する際に、６０分まで計測可能にしておき、６０分以上になった場合には、第１副針１５、第３副針１７で「時」を表示するようにすれば、経過時間を分かりやすく表示でき、利用者は経過時間を正確に把握できて利便性を向上することができる。
【００７４】
さらに、前記実施形態では、第１モータで駆動される第１表示手段の第１副針１５、第２副針１６を文字板の６時位置に配置し、第２モータで駆動される第２表示手段の第３副針１７を文字盤のセンター位置に配置していていたが、これらの配置に限定されない。
【図面の簡単な説明】
【００７５】
【図１】本実施形態における計時機能付きアナログ時計を示す正面図。
【図２】前記実施形態の計時機能付きアナログ時計の構成を示すブロック図。
【図３】前記実施形態のタイマー処理を示すフローチャート。
【図４】前記実施形態のタイマー計測時間設定処理を示すフローチャート。
【図５】前記実施形態のタイマー計測処理を示すフローチャート。
【図６】前記実施形態における各副針の動作を示す説明図。
【図７】前記実施形態における各副針の動作を示す説明図。
【図８】前記実施形態における各副針の動作を示す説明図。
【図９】本発明の変形例における各副針の動作を示す説明図。
【図１０】本発明の変形例における各副針の動作を示す説明図。
【符号の説明】
【００７６】
１…計時機能付きアナログ時計、５…リューズ、６…第１ボタン、７…第２ボタン、１１…時針、１２…分針、１３…小秒針、１４…モード表示針、１５…第１副針、１６…第２副針、１７…第３副針、２１…時計用ステップモータ、２２…モード表示用ステップモータ、２３…第１ステップモータ、２４…第２ステップモータ、３０…駆動制御回路、３４…機能処理部、３５…基本時計駆動制御部、３６…モード表示駆動制御部、３７…第１モータ駆動制御部、３８…第２モータ駆動制御部、３４１…タイム表示処理部、３４２…タイマー処理部、３４３…クロノグラフ処理部、３４４…アラーム処理部、３４５…ローカルタイム表示処理部。
【図１】
2008261683.tif 000003
【図２】
2008261683.tif 000004
【図３】
2008261683.tif 000005
【図４】
2008261683.tif 000006
【図５】
2008261683.tif 000007
【図６】
2008261683.tif 000008
【図７】
2008261683.tif 000009
【図８】
2008261683.tif 000010
【図９】
2008261683.tif 000011
【図１０】
2008261683.tif 000012